(57)【要約】【課題】  部品点数を極力減らして、効果的に行動を制御し得る、取り扱い性も申し分ない口輪結合型動物制御用具を提供する。【解決手段】  犬Ｄの首周りに、その犬Ｄに応じて調節して着脱可能に装着する構成とした首輪２と、この首輪２に連結環３を介して、移動自在に挿通して、犬Ｄの鼻先から目元に至る箇所と、下顎付根近傍を取り囲むように差し入れて保持する口輪４とを備え、この口輪４は、犬Ｄに応じて口元を取り囲む寸法を調節する構成とし、前記連結環３に引き綱Ｌを連結する構成とする。【選択図】              図１
2006262733.tif 000002
【特許請求の範囲】
【請求項１】
動物の首周りに、装着する構成とした首輪と、この首輪に連結環を介して、口輪とを連結し、前記連結環に引き綱を連結するように構成したことを特徴とする口輪結合型動物制御用具。
【請求項２】
前記首輪は帯状体を有して、この帯状体の長さ寸法を調節する調節手段と、首周りを取り囲んで、着脱可能に連結する着脱連結手段とを備えたことを特徴とする請求項１記載の口輪結合型動物制御用具。
【請求項３】
前記口輪は、帯状体で構成して、動物に応じて口元を取り囲む寸法を調節する調節手段を備えたことを特徴とする請求項１記載の口輪結合型動物制御用具。
【請求項４】
前記着脱連結手段は、前記首輪を構成する帯状体の一端側を取着してなる係合受枠と、帯状体の他端側を挿通すると共に他端側を調節手段にもたらして止め着けた、前記係合受枠に弾性変形して係合する係合突片とで構成したことを特徴とする請求項２記載の口輪結合型動物制御用具。
【発明の詳細な説明】
【技術分野】
【０００１】
本発明は、愛玩動物の本能や、習性に基づく行動を、無理強いすることなく規制して、飼い主の求めるふるまいに誘導することができる、口輪結合型動物制御用具に関するものである。
【背景技術】
【０００２】
従来より、愛玩動物、特に犬を飼い主の意のままにふるまいをさせるための道具として、例えば首輪と引き綱がある。
首輪には、金属製の鎖でできたものがあり、引き綱によってこの首輪に引っ張り力を加え、時には、強い力で犬の暴走を抑えたり、地面に踏ん張って動こうとしない犬を引きずったりするなど、無理強いして犬を引き連れることがあった。  しかしながら、これでは、犬は嫌がるだけで、思うようなコントロールは困難であることがわかっている。というのは、犬をはじめ、動物の敏感な口周りに、引き綱による力が及ばされず、飼い主の意向が犬に伝わっていないからである。
そこで、犬の口周りに口輪を装着して、この口輪に引き綱を連結して、引き綱を引っ張ることにより、口輪に引っ張り力が加えられることによって、犬にシグナルを送るということが提案されてきた。
【０００３】
例えば、
【特許文献１】特公平６−９１７８１号公報  ここでは、二本の輪（首輪と鼻輪）を具備することにより、犬などの動物を飼い慣らすために、行動を規制する動物制御器具を開示している。  すなわち、この動物制御器具は、二本の輪で構成され、首のうしろと横及び鼻づらの先に対して、同時に締め付けられるようになっている。  これによって、コントロールと従順なふるまいをさせるために、直接の圧迫が、引き綱から直接鼻輪に、鼻づらの前に対して加えられると共に、同時に、首輪のループの位置は耳のすぐ後で、動物の首に直接の圧迫が同時に加えられるとしている。
【発明の開示】
【発明が解決しようとする課題】
【０００４】
上記特許文献１によれば、首のうしろと横及び上下のあごに引き綱が締め付けられたときに、窒息させるような圧迫を、首の下の器官や咽頭のような敏感な部分に加えることなしに、同時に加えられる変化する直接の圧力コントロールを可能にしている。
しかしながら、上記動物制御器具では、鼻輪が、首輪に対し、金属リングを介して止め着けられているため、この金属リングが首輪に固定されているところから、鼻輪は、金属リング取り付け箇所を中心に進退移動するだけで、鼻輪は、決して、首輪に沿って移動するようには造られていない。
しかも、上記金属リングの分、どうしても部品点数が増加し、さらにコストダウンが難しいという難点がある。
本発明は以上のような諸難点を除去するために提案されたものであって、部品点数を極力減らして、効果的に行動を制御し得る、取り扱い性も申し分ない、口輪結合型動物制御用具を提供することを目的とする。
【課題を解決するための手段】
【０００５】
前記した課題を解決するために、本発明では、請求項１において、動物の首周りに、装着する構成とした首輪と、この首輪に連結環を介して、口輪とを連結し、前記連結環に引き綱を連結するように構成した口輪結合型動物制御用具を提案する。
また本発明では、請求項２において、前記首輪は帯状体を有して、この帯状体の長さ寸法を調節する調節手段と、首周りを取り囲んで、着脱可能に連結する着脱連結手段とを備えた口輪結合型動物制御用具を提案する。
また本発明では、請求項３において、前記口輪は、帯状体で構成して、動物に応じて口元を取り囲む寸法を調節する調節手段を備えた口輪結合型動物制御用具を提案する。
さらに本発明では、請求項４において、前記着脱連結手段は、前記首輪を構成する帯状体の一端側を取着してなる係合受枠と、帯状体の他端側を挿通すると共に他端側を調節手段にもたらして止め着けた、前記係合受枠に弾性変形して係合する係合突片とで構成した口輪結合型動物制御用具を提案する。
【発明の効果】
【０００６】
本発明によれば、動物の本能や、習性に基づく行動を、無理強いすることなく規制して、飼い主の求めるふるまいに誘導することができ、しかも、部品点数を極力減らして、効果的に行動を制御し得る、取り扱い性も申し分ない口輪結合型動物制御用具を提供することができる。
【０００７】
請求項１によれば、動物の首周りに装着する首輪と、動物の目元から、下顎付根近傍を取り囲む口輪とを、連結環を介して連結しただけの構成であるので、構成は簡略化され、部品点数もすくなく、前記連結環に引き綱を連結するだけであるので、取扱いが容易である。
【０００８】
請求項２によれば、首輪を構成する帯状体の長さを調節手段により調節してその動物に対応した長さとし、首周りを取り囲んで、着脱連結手段により簡単に装着することができる。
【０００９】
請求項３によれば、口輪を、動物に応じて口元を取り囲む寸法を調節手段で調節して、動物の鼻先から差し入れて目元に至らしめ、下顎付根近傍を取り囲むことで装着が完了する。
【００１０】
請求項４によれば、首輪を構成する帯状体の長さを調節手段により調節してその動物に対応した長さとし、首周りを取り囲んで、着脱連結手段を構成する係合受枠に、係合突片を弾発的に係合することで、装着が完了する。
【発明を実施するための最良の形態】
【００１１】
以下、本発明にかかる口輪結合型動物制御用具につき、一つの実施の態様を挙げ、添付の図面に基づいて説明する。
【実施例１】
【００１２】
図１、図２に口輪結合型動物制御用具１を示す。この口輪結合型動物制御用具１は、犬Ｄの首周りに、その犬Ｄに応じて調節して着脱可能に装着する構成とした首輪２と、この首輪２に連結環３を介して、移動自在に挿通して、犬Ｄの鼻先から目元に至る箇所と、下顎付根近傍を取り囲むように差し入れて保持する口輪４とを備え、この口輪４は、犬Ｄに応じて口元を取り囲む寸法を調節する構成とし、前記連結環３に引き綱Ｌを連結する構成としている。
【００１３】
また、前記首輪２は周知の素材、例えば合成繊維を用いて織りこんで形成した帯状体２ｓで構成している。勿論、帯状体２ｓの素材としては、他の周知の素材も可能である。
この場合、前記帯状体２ｓには、犬Ｄの首周りの大きさに対応して帯状体２ｓの長さ寸法を調節するための調節手段５を設けると共に、前記帯状体２ｓにより犬Ｄの首周りを取り囲んで、帯状体２ｓをループ状に着脱可能に連結する着脱連結手段６を設けている。この場合、前記帯状体２ｓの一端側を前記着脱連結手段６の例えば係合受枠６ａ側（後述）に挿通して折り返し、この係合受枠６ａ近傍に縫着され、帯状体２ｓの他端側を、前記着脱連結手段６の係合部６ｂ側（後述）に挿通して折り返し、前記調節手段５を構成するスライドリング部材７に挿通すると共に折り返し、スライドリング部材７近傍に縫着している。
【００１４】
前記調節手段５は、例えば首輪２を構成する帯状体２ｓ中途にスライド可能に挿通されたスライドリング部材７を、帯状体２ｓに沿ってスライドさせることで、帯状体２ｓが、前記着脱連結手段６の係合部６ｂを介して中継として折り返し移動することで、スライドリング部材７の位置を調節して、前記着脱連結手段６の係合部６ｂを、実質的な帯状体２ｓの他端側として帯状体２ｓの長さ寸法を調節するようにしている。
勿論、上述の調節手段５は一例であり、この他、帯状体２ｓに複数のスナップファスナを設けて、調節する構成としてもよい。あるいは、前記帯状体２ｓに調節用の面ファスナを設けて構成してもよい。
【００１５】
そして、前記着脱連結手段６は一例として上述のように係合受枠６ａと係合部６ｂとで構成し、このうち前記係合受枠６ａは、前記帯状体２ｓの一端側を挿通して折り返す受枠基部８を備える一方、先端に設けた一対の係合突片９、９を受け入れる係合空間を有し、両側部に、前記係合突片９、９先端側を露出させるようにした切欠部１０、１０を設けている。
一方、前記係合部６ｂの一対の係合突片９、９には、先端側に、係合突片９、９形成幅方向外方に膨出する押込先端部９ｔ、９ｔを形成している。また前記一対の係合突片９、９間には、前記係合受枠６ａに一対の係合突片９、９を係合する際に、係合突片９、９を所定方向に位置決め案内するための案内軸１１を突設している。
さらに、前記係合部６ｂには、基部側に帯状体２ｓの他端側を、挿通して折り返す中継としての挿通基部枠１２を備えている。
【００１６】
以上のような構成の首輪２で、係合突片９、９を形成した係合部６ｂを係合受枠６ａに向かって、案内軸１１を押し込んでいくことで、前記係合突片９、９先端側の押込先端部９ｔ、９ｔが、弾性的に形成幅内側に変形して、係合受枠６ａ先端を乗り越えて切欠部１０、１０に露出して係合状態となることで、着脱連結手段６により、首輪２を構成する帯状体２ｓをループ状に結合保持する構成である。
なお前記着脱連結手段６は、この他、着脱可能に連結する構成のものであれば周知の構成のものを用いることができる。すなわち、首輪２を構成する帯状体２ｓをスナップファスナで着脱可能に連結したり、または、面ファスナで着脱連結する構成のものも含まれる。
【００１７】
次に前記口輪４について説明する。
口輪４も、前記首輪２同様、周知の素材、例えば合成繊維を用いて織りこんで形成した帯状体４ｓで構成して、犬Ｄに応じて口元を取り囲む寸法を調節する調節手段１３を備えている。勿論、帯状体４ｓの素材としては、他の周知の素材も可能である。
前記調節手段１３は、例えば挿通枠１３ａと、リング部材１３ｂとで構成して、帯状体４ｓ一端側を前記挿通枠１３ａに挿通させて、前記リング部材１３ｂで折り返し、リング部材１３ｂ近傍で逢着する一方、帯状体４ｓ他端側を前記リング部材１３ｂに挿通させると共に、前記挿通枠１３ａ中軸（図示省略）で折り返し逢着する構成として、リング部材１３ｂを前記挿通枠１３ａに近付けたり離したり移動させることで、口元を取り囲む寸法を調節する構成である。
勿論、前記調節手段１３も、一つの調節手段であるから、この他、帯状体４ｓに複数のスナップファスナを設けて、調節する構成としてもよい。あるいは、前記帯状体４ｓに調節用の面ファスナを設けた構成も含まれる。
【００１８】
そして、以上の口輪４を前記首輪２と連結する連結環３は、適宜な金属製の閉ループ状の環体で構成しており、前記口輪４と前記首輪２とを緩やかに連結可能とすると共に、引き綱Ｌを余裕をもって連結可能な径寸法を有している。勿論、連結環３は、形状が円形でなくてもよく、どのような形状のもの、そしてその大きさも自由に選定すればよい。
なお引き綱Ｌは、周知の構成のもので、着脱自在な連結具（図示省略）によって連結可能としている。
【００１９】
以上のような口輪結合型犬制御用具１において、装着手順を説明する。
この口輪結合型犬制御用具１を犬Ｄに装着する順として、口輪４を先に犬Ｄの鼻先から差し入れて目元近傍に至らしめ、下顎付根近傍を取り囲むように装着する。なお、この時、首輪２は、着脱連結手段６を操作して、係合受枠６ａと係合部６ｂとを分離し、帯状体２ｓを開放しておく（図２参照）。
前記口輪４を、口元を取り囲む寸法に調節するには、調節手段１３のリング部材１３ｂを前記挿通枠１３ａに近付けたり離したりスライドさせることで、簡単に調節することができる。このとき、口輪４の調節は、犬Ｄの口がある程度自由に開けることができるように、余裕を持たせることに留意する。
【００２０】
前記口輪４の調節が終わったら、口輪４を、犬Ｄの鼻先から差し入れて目元近傍に至らしめ、下顎付根近傍を取り囲んだ状態にする。このとき、首輪２は、連結環３によって、口輪４に吊下げた状態にある（図３参照）。
次いで、この首輪２を犬Ｄの首周りに装着するが、その犬Ｄの首周りに合わせて、首輪２を構成する帯状体２ｓの長さを調節する操作を行う。
この場合、帯状体２ｓの長さを調節するには、帯状体２ｓ中途にスライド可能に挿通された、調節手段５を構成するスライドリング部材７を、帯状体２ｓに沿ってスライドさせることで、帯状体２ｓが、着脱連結手段６の係合部６ｂにおける挿通基部枠１２を中継として折り返し移動することで、前記着脱連結手段６の係合部６ｂを、実質的な帯状体２ｓの他端側として帯状体２ｓの長さ寸法を調節することができる。
【００２１】
そして、飼い主は、着脱連結手段６の係合部６ｂと係合受枠６ａとを持って、係合突片９、９を形成した係合部６ｂを係合受枠６ａに向かって、案内軸１１が臨入するように押し込んでいくことで（図４参照）、前記係合突片９、９先端側の押込先端部９ｔ、９ｔが、弾性的に形成幅内側に変形して、係合受枠６ａ先端を乗り越えて切欠部１０、１０に露出して係合状態となることで、着脱連結手段６により、首輪２を構成する帯状体２ｓをループ状に結合保持することができる（図１参照）。
なお、前記首輪２と口輪４とを連結する連結環３は、口輪４と前記首輪２とを緩やかに連結し、且つ、引き綱Ｌを余裕をもって連結可能な径寸法を有しているので、首輪２と口輪４とが相互によじれるようなことはなく、例え犬Ｄが首を横に振っても、連結環３が首輪２の帯状体２ｓを遊動するので犬Ｄの動きに充分、追従させることができる。
【００２２】
以上のようにして装着した口輪結合型犬制御用具１を用いて、引き綱Ｌを口輪４のリング部材１３に連結して、引き連れることができる。この際、口輪４は、犬Ｄの口がある程度自由に開けることができるように、余裕を持って調節されているので、犬Ｄは、呼吸が妨げられるようなことはなく、自然に犬Ｄを歩かせたりすることができる。
そして、犬Ｄがいきなり思わぬ行動をとろうとするときは、飼い主は、引き綱Ｌを軽く引っ張ることによって、余裕を持って調節された口輪４が、犬Ｄの敏感な口周りに当たって、引き綱Ｌによる力が及ばされ、飼い主の意向が伝わり、無理強いすることなく、犬Ｄの暴走を抑えたり、意向に添うふるまいに、良好に導くことができる。
【００２３】
以上のように、この口輪結合型犬制御用具１を用いれば、犬Ｄの本能や、習性に基づく行動を、無理強いすることなく規制して、飼い主の求めるふるまいに導くことができる。
しかも、首輪２と口輪４とを連結環３で連結する構成としたことにより、構成自体を簡単化することができ、部品点数を極力減らしてコストダウンが可能で、また取り扱い性も申し分ない口輪結合型犬制御用具１を提供することができる。
【図面の簡単な説明】
【００２４】
【図１】本発明にかかる口輪結合型犬制御用具の一つの実施の形態を示す、使用説明図である。
【図２】図１に示す口輪結合型犬制御用具の構成を示す、斜視図である。
【図３】図１に示す口輪結合型犬制御用具を装着する際の説明図である。
【図４】図１に示す口輪結合型犬制御用具を装着する際の説明図である。
【符号の説明】
【００２５】
１                            口輪結合型犬制御用具
２                            首輪
２ｓ                          帯状体
３                            連結環
４                            口輪
４ｓ                          帯状体
５                            調節手段
６                            着脱連結手段
６ａ                          係合受枠
６ｂ                          係合部
７                            スライドリング部材
８                            受枠基部
９                            係合突片
９ｔ                          押込先端部
１０                          切欠部
１１                          案内軸
１２                          挿通基部枠
１３                          調節手段
１３ａ                        挿通枠
１３ｂ                        リング部材
Ｄ                            犬
Ｌ                            引き綱
【図１】
2006262733.tif 000003
【図２】
2006262733.tif 000004
【図３】
2006262733.tif 000005
【図４】
2006262733.tif 000006